(57)【要約】【課題】部品点数が削減でき、外形の小型化も図れる多機能型電子部品を提供する。【解決手段】揺動自在な作動部材１５１と、作動部材１５１の揺動によって押圧される押圧スイッチ１４７を設置してなる第１フレキシブル回路基板１３５と、作動部材１５１上に設置され回転つまみ８０の回転によって電気的出力を変化する第２フレキシブル回路基板１３１を有する。第１，第２フレキシブル回路基板１３５，１３１は基板連結部１４９によって連結される。作動部材１５１は囲み部１５３に囲み部連結部１７１によって連結される。作動部材１５１と囲み部１５３の間に形成される基板挿通部１７７に基板連結部１４９の部分を通すことで作動部材１５１の上下面側にそれぞれ第１，第２フレキシブル回路基板１３５，１３１を配置する。基板挿通部１７７の両端側の作動部材１５１に第２フレキシブル回路基板１３１の外周辺を挿入する基板外周辺挿入凹部１７９を設ける。【選択図】図４
2014022286.tif 000002
【特許請求の範囲】
【請求項１】
揺動自在に設置される作動部材と、
前記作動部材の一方の面側に配置され、前記作動部材の揺動によって押圧される押圧スイッチを設置してなる第１回路基板と、
前記作動部材の他方の面側に配置され、回転つまみ及びこの回転つまみの回転によって電気的出力を変化する第２回路基板を有してなる回転式電子部品と、
を具備してなる多機能型電子部品であって、
前記第１回路基板と第２回路基板は基板連結部によって連結されており、
一方前記作動部材はその周囲を囲む囲み部に囲み部連結部によって連結され、
前記作動部材と囲み部の間に形成された基板挿通部に前記基板連結部の部分を通すことで作動部材の両面側にそれぞれ第１回路基板と第２回路基板を配置したことを特徴とする多機能型電子部品。
【請求項２】
請求項１に記載の多機能型電子部品であって、
前記基板挿通部の少なくとも一方の端部側の作動部材には、この基板挿通部内に前記第２回路基板を通す際に第２回路基板の外周辺の部分を挿入する基板外周辺挿入凹部を設けたことを特徴とする多機能型電子部品。
【請求項３】
請求項１に記載の多機能型電子部品であって、
前記囲み部は、前記作動部材を揺動した際に撓む幅および厚みに形成されていることを特徴とする多機能型電子部品。
【請求項４】
請求項１に記載の多機能型電子部品であって、
前記基板挿通部を構成する囲み部には、この基板挿通部内に基板連結部を挿入する基板挿入用スリットが形成されていることを特徴とする多機能型電子部品。
【発明の詳細な説明】
【技術分野】
【０００１】
本発明は、回転式電子部品の機能と揺動式電子部品の機能を併せ持つ多機能型電子部品に関するものである。
【背景技術】
【０００２】
車載用ナビゲーションシステム、コンピュータ、各種携帯機器、各種ＯＡ機器、ゲーム機等を操作するデバイスとして、例えば特許文献１の図１，図２に示す多機能型電子部品（１）がある。この多機能型電子部品（１）は、回転式電子部品を構成する回転つまみ（１０）の中央に、押圧式電子部品を構成する押釦つまみ（３０）を設置し、さらに回転式電子部品の下方に回転つまみ（１０）の上面を押圧して回転式電子部品全体を揺動することで操作する揺動式電子部品を設置して構成されている。この多機能型電子部品（１）によれば、回転式電子部品の機能と押圧式電子部品の機能と揺動式電子部品の機能とを兼ね備えた多機能型電子部品をコンパクトに構成することができる。
【０００３】
さらに具体的に言えば前記多機能型電子部品は、揺動自在に支持された取付台（１５０）の上面側に摺接パターン（１７９）を形成した第１回路基板部（１７１）と前記摺接パターン（１７９）に摺接する摺動子（１１０）を取り付けた回転つまみ（１０）を設置して回転式電子部品を構成すると共に、取付台（１５０）の下面側に取付台（１５０）の揺動によって押圧される押圧スイッチ（１８５）を設けた第２回路基板部（１７５）を設置して揺動式電子部品を構成し、さらに回転つまみ（１０）の中央に設置した押釦つまみ（３０）と第２回路基板部（１７５）上に設置された中央スイッチ（１８３）によって押圧式電子部品を構成している。
【０００４】
なお取付台（１５０）はその周囲を囲むように設置した支持部材（１３０）によって揺動自在に支持されている。また第１回路基板部（１７１）と第２回路基板部（１７５）は連結部（１７３）によって連結することで１枚のフレキシブル回路基板（１７０）とし、部品点数を削減している。
【先行技術文献】
【特許文献】
【０００５】
【特許文献１】特開２０１１−１３４５７４号公報
【発明の概要】
【発明が解決しようとする課題】
【０００６】
しかしながら上記多機能型電子部品においては、取付台（１５０）をその周囲を囲む支持部材（１３０）によって揺動自在に支持する構造なので、部品点数が２部品になり、また組立工数が増し、これらのことから低コスト化が阻害されるという問題があった。
【０００７】
また支持部材（１３０）を別部品として取付台（１５０）の周囲に設置する構造なので、外形寸法の小型化が図りにくいという問題もあった。また取付台（１５０）は支持部材（１３０）に保持されているだけで他の固定部材と連結されていないため、回転つまみ（１０）を動作させた際に取付台（１５０）が平面方向に動いてしまい、いわゆるがたつきが起きる恐れもあった。
【０００８】
本発明は上述の点に鑑みてなされたものでありその目的は、部品点数が削減できて組立工数も減少し、外形の小型化も図れ、さらに回転つまみを動作させた際にがたつきが生じることもない多機能型電子部品を提供することにある。
【課題を解決するための手段】
【０００９】
本発明は、揺動自在に設置される作動部材と、前記作動部材の一方の面側に配置され、前記作動部材の揺動によって押圧される押圧スイッチを設置してなる第１回路基板と、前記作動部材の他方の面側に配置され、回転つまみ及びこの回転つまみの回転によって電気的出力を変化する第２回路基板を有してなる回転式電子部品と、を具備してなる多機能型電子部品であって、前記第１回路基板と第２回路基板は基板連結部によって連結されており、一方前記作動部材はその周囲を囲む囲み部に囲み部連結部によって連結され、前記作動部材と囲み部の間に形成された基板挿通部に前記基板連結部の部分を通すことで作動部材の両面側にそれぞれ第１回路基板と第２回路基板を配置している。
このように作動部材とその周囲を囲む囲み部を囲み部連結部によって連結して一体化したので、１つの部品として作動部材と囲み部を構成でき、部品点数の削減が図れ、多機能型電子部品の組立工数も減少できる。また作動部材と囲み部の間に形成した基板挿通部に基板連結部を通すので、基板連結部が囲み部の外周側に出っ張って通ることはなく、その分多機能型電子部品の外形の小型化が図れる。また作動部材を囲み部に連結したので、回転つまみを動作（回転または揺動）させた際に作動部材に平面方向のがたつきが生じることもない。
【００１０】
また本発明は、前記基板挿通部の少なくとも一方の端部側の作動部材に、この基板挿通部内に前記第２回路基板を通す際に第２回路基板の外周辺の部分を挿入する基板外周辺挿入凹部を設けている。
このように作動部材に基板外周辺挿入凹部を設けたので、第２回路基板を基板挿通部に通す際の幅寸法が基板挿通部の長さ寸法より長くても、基板挿通部内に第２回路基板を通すことができる。言い換えれば基板挿通部の長さを短くできるので、その分多機能型電子部品の外形の小型化が図れる。
【００１１】
また本発明においては、前記囲み部を、前記作動部材を揺動した際に撓む幅および厚みに形成している。このように構成すれば、囲み部自体に可撓性を持たせることができるので、囲み部連結部の部分に可撓性を持たせるためにその長さを長く形成する必要がなく、作動部材と囲み部間の隙間間隔を狭くでき、その分多機能型電子部品の外形の小型化が図れる。
【００１２】
また本発明は、前記基板挿通部を構成する囲み部に、この基板挿通部内に基板連結部を挿入する基板挿入用スリットを形成して構成している。このように構成すれば、基板挿入用スリットに基板連結部を通すという簡単な作業によって、容易に基板挿通部内に基板連結部を挿入することができる。基板挿通部内に基板連結部を挿入する際、基板挿通部内に第２回路基板を通す必要がないので、基板挿通部の長さや幅を小さくでき、その分多機能型電子部品の外形の小型化が図れる。
【発明の効果】
【００１３】
本発明によれば、多機能型電子部品の部品点数が削減できてその組立工数も減少し、外形の小型化も図れ、さらに回転つまみを動作させた際にがたつきが生じることも防止できる。
【図面の簡単な説明】
【００１４】
【図１】多機能型電子部品１の斜視図である。
【図２】多機能型電子部品１の概略側断面図（図１のＡ−Ａ断面図）である。
【図３】多機能型電子部品１（その上側の部品）の分解斜視図である。
【図４】多機能型電子部品１（その下側の部品）の分解斜視図である。
【図５】多機能型電子部品１（その上側の部品）を下側から見た分解斜視図である。
【図６】囲み部付き作動部材１５０を下側から見た斜視図である。
【図７】図７（ａ）は囲み部付き作動部材１５０の平面図、図７（ｂ）はその裏面図である。
【図８】フレキシブル回路基板１３０の展開平面図である。
【図９】基板挿通部１７７に第２フレキシブル回路基板１３１を挿入する際の状態を示す平面図である。
【図１０】囲み部付き作動部材１５０−２の平面図である。
【図１１】囲み部付き作動部材１５０−３の平面図である。
【図１２】囲み部付き作動部材１５０−４の平面図である。
【図１３】囲み部付き作動部材１５０−５の平面図である。
【図１４】囲み部付き作動部材１５０−５に第２フレキシブル回路基板１３１−５を設置した状態を示す平面図である。
【発明を実施するための形態】
【００１５】
以下、本発明の実施形態を図面を参照して詳細に説明する。図１は本発明の１実施形態にかかる多機能型電子部品１の斜視図、図２は多機能型電子部品１の概略側断面図（図１のＡ−Ａ断面図）、図３は多機能型電子部品１（その上側の部品）の分解斜視図、図４は多機能型電子部品１（その下側の部品）の分解斜視図、図５は多機能型電子部品１（その上側の部品）を下側から見た分解斜視図である。なお以下の説明において、「上」とは囲み部付き作動部材１５０から回転つまみ８０を見る方向をいい、「下」とはその反対方向をいうものとする。
【００１６】
これらの図に示すように多機能型電子部品１は、支持部材２００上に、第１回路基板（以下「第１フレキシブル回路基板」という）１３５と、囲み部付き作動部材１５０と、第２回路基板（以下「第２フレキシブル回路基板」という）１３１と、摺動子１２０及びクリック板１１０を取り付けた回転つまみ８０と、軸支部材３０と、押釦つまみ１０と、を設置して構成されている。
【００１７】
押釦つまみ１０は合成樹脂の成形品であり、略円板状の本体部１１と、本体部１１の下面中央から下方向に向かって突出する柱状の押圧部１３とを具備し、本体部１１の上面を指などで押圧操作する操作部１５として構成している。本体部１１下面の押圧部１３の根元部分外周からは１８０°逆方向に向けて一対の略矩形板状の回り止用突起１７が突出し、またこれら回り止用突起１７と直交する方向に向けて一対の爪状の係止部１９が突出している。
【００１８】
軸支部材３０は合成樹脂の成形品であり、下記する作動部材１５１上に固定される軸部５１と、軸部５１の上部において半径方向外方に張り出す略円板状の表示部３１とを有して構成されている。表示部３１の下面には、２つのリング状の突起が下記する回転つまみ８０の回転中心軸を中心とする同心円状に設けられており、内側のリング状の突起が表示部側軸支部３３を構成している。表示部３１の上面中央には円形に凹むつまみ収納部３５が設けられている。つまみ収納部３５の内径は、前記押釦つまみ１０の本体部１１をほぼぴったり収納する寸法に形成されている。表示部３１の表面（上面）には、図示しない所望の表示が設けられている。
【００１９】
軸部５１は表示部３１の下面中央から下方向に向かって柱状に突出しており、その下端面からは複数（３つ）の取付部５３が突出している。各取付部５３は横断面円弧状の略平板であり、軸部５１中央を貫通する開口５５の周囲を囲むように設けられている。開口５５は軸部５１を上下に貫通しており、その内周には前記押釦つまみ１０の回り止用突起１７を上下動自在に挿入する一対の回り止用溝５７が設けられ、またこれら回り止用溝５７と直交する位置には上方向に向かって突出し前記押釦つまみ１０の係止部１９に係合する一対の弾性を有する爪状の係合部５９が設けられている。
【００２０】
回転つまみ８０は合成樹脂の成形品であり、略円板状に成形され、その上面に円形凹状の表示部収納部８１を設け、その中央に円形の貫通孔からなる開口部８３を設けている。表示部収納部８１の内径寸法は前記軸支部材３０の表示部３１の外径寸法よりも若干大きく形成されている。表示部収納部８１の底面の前記開口部８３を囲む位置にはリング状の凸部からなる回転体側軸支部８５が形成されている。回転体側軸支部８５の内径寸法は、前記表示部材３０の表示部側軸支部３３の外径寸法とほぼ同一であり、回転体側軸支部８５の内側に表示部側軸支部３３を回動自在に挿入して回転つまみ８０を回転自在に軸支するように形成している。開口部８３の内径寸法は前記表示部材３０の軸部５１及び軸部５１周囲のつまみ収納部３５の底面側部分３６を挿入できる寸法に形成している。回転つまみ８０の表示部収納部８１の外側を囲むリング状の部分は、つまみ操作部８９となっている。回転つまみ８０の下面の開口部８３を囲む部分にはリング状に突出する摺動子等取付部８７が設けられ、摺動子等取付部８７の下面には複数（３つ）の小突起からなる取付部９１が形成されている。摺動子等取付部８７の周囲を囲む位置にはリング状に突出する当接部９３が設けられている。また表示部収納部８１の底面には、上下に貫通する小孔からなる位置決め孔９５が形成されている。位置決め孔９５はこの回転つまみ８０にクリック板１１０や摺動子１２０を自動組み立てによって取り付ける際に組立治具に設けたピンに挿入してその位置決めを行うためのものである。
【００２１】
クリック板１１０は、弾性金属板（例えばステンレス板）をリング状に形成した基部１１１と、基部１１１の内側にリング状に配置される一対の半円弧状のアーム部１１３とを一体に形成して構成されている。アーム部１１３の中央に形成されている円形の開口部１１５は、その内径が前記軸支部材３０の軸部５１を挿入できる寸法に形成されている。基部１１１には前記回転つまみ８０の各取付部９１を挿入する小孔からなる取付部１１７が複数（３つ）設けられている。各アーム部１１３は、それらの根元部分が一対の連結部１１９によって基部１１１の内周に連結され、この根元部分においてアーム部１１３は下方向に傾くように折り曲げられている。両アーム部１１３のそれぞれ中央位置には下方向に突出するように湾曲するクリック弾接部１１４が設けられている。
【００２２】
摺動子１２０は弾性金属板（例えばリン青銅板）製であり、回転つまみ８０よりも小さな外径寸法を有する略円形の平板リング状に形成され、中央に開口部１２１を設けると共に、等間隔（１２０°間隔）の３か所の位置に、前記回転つまみ８０の各取付部９１を挿入する貫通孔からなる取付固定部１２３を設け、また各取付固定部１２３の側部から摺接ブラシ１２５を摺動子１２０の円形の外形に沿うように設置して構成されている。各組の摺接ブラシ１２５の先端近傍部分は、接点部１２７となっている。なお開口部１２１は前記クリック板１１０のクリック弾接部１１４を挿通するクリック弾接部挿通部でもある。
【００２３】
図６は囲み部付き作動部材１５０を下側から見た斜視図である。また図７（ａ）は囲み部付き作動部材１５０の平面図、図７（ｂ）はその裏面図である。これらの図及び図４に示すように囲み部付き作動部材１５０は合成樹脂製であり、略円板状の作動部材１５１と、作動部材１５１の外周を所定の間隔を介して囲むように設けられる囲み部１５３と、両者を連結する囲み部連結部１７１とを一体成形することで構成されている。
【００２４】
作動部材１５１はその中央に押釦つまみ１０の押圧部１３を挿通する押圧部挿通孔１５５を設けている。また作動部材１５１上面の押圧部挿通孔１５５の周囲には、リング状の軸部当接面１５９が設けられ、さらに軸部当接面１５９の周囲を囲む位置にはリング状の凹凸からなるクリック係合部１６１が設けられている。軸部当接面１５９には、前記軸支部材３０に設けた各取付部５３を挿入する貫通孔からなる被取付部１６３が形成されている。作動部材１５１の上面の外周近傍部分には、複数（４つ）の小突起からなる基板係止部１６５が設けられている。また作動部材１５１の下面の外周近傍部分には円周状に等間隔に複数（４つ）の下方向に向かって突出する柱状の押圧部１６７が設けられている。これら押圧部１６７は作動部材１５１の外周の各囲み部連結部１７１を連結した根元付近に設けられている。
【００２５】
囲み部１５３は作動部材１５１の外周を囲む位置に所定の間隔を介して設置されており、略平板リング状で、前記作動部材１５１を揺動した際に撓む幅および厚みに形成されている。囲み部１５３と作動部材１５１間は等間隔に配置した放射状に延びる複数（４つ）の囲み部連結部１７１によって連結されている。囲み部１５３の下面には複数（４つ）の固定部１７３が等間隔に下方向に向かって突設されている。各固定部１７３は各囲み部連結部１７１が囲み部１５３に連結されている部分の中間位置に設けられている。各固定部１７３は基部１７３ａから基部１７３ａよりも径の小さい取付部１７３ｂを突出して構成されている。
【００２６】
作動部材１５１と囲み部１５３の間には各囲み部連結部１７１によって分離された複数（４つ）の略円弧状の隙間が形成されており、その内の１つを下記するフレキシブル回路基板１３０の基板連結部１４９の部分を通す基板挿通部１７７としている。
【００２７】
そして基板挿通部１７７の両端部側の作動部材１５１外周辺には、基板外周辺挿入凹部１７９が設けられている。この実施形態にかかる基板外周辺挿入凹部１７９は、基板挿通部１７７を構成する作動部材１５１の外周辺の中央部分から左右に向けて略直線状に作動部材１５１内に入り込むように傾斜し、基板挿通部１７７の端部においてさらにその長さを長くするように溝１７９ａを設けて構成されている。これによって図７（ｂ）に示すように、基板挿通部１７７の囲み部１５３側に沿う長さＬ１よりも、一方の溝１１７ａから囲み部１５３中央を通って他方の溝１１７ａに至る長さＬ２の方が長くなっている（Ｌ１＜Ｌ２）。なお作動部材１５１の外周辺の前記基板挿通部１７７の両側に位置していない２つの囲み部連結部１７１を接続している左右両側部分には、細溝状のスリット部１７８が設けられ、より作動部材１５１が揺動し易いようにしている。
【００２８】
図８は第１フレキシブル回路基板１３５と基板連結部１４９と第２フレキシブル回路基板１３１とを一体に設けたフレキシブル回路基板１３０の展開平面図である。同図に示すようにフレキシブル回路基板１３０は、第１フレキシブル回路基板１３５と第２フレキシブル回路基板１３１とを基板連結部１４９によって連結して構成されている。
【００２９】
フレキシブル回路基板１３０は、可撓性を有する合成樹脂フイルム上に所望の回路パターンを設けて構成されており、この実施形態では合成樹脂フイルムとして熱可塑性のポリエチレンテレフタレート（ＰＥＴ）フイルムを用いているが、他の各種熱可塑性、熱硬化性、光硬化性の合成樹脂フイルムを用いて構成しても良い。フレキシブル回路基板１３０は摺接パターン１３７が形成された第２フレキシブル回路基板１３１と、中央スイッチ１４５と押圧スイッチ１４７とが形成された第１フレキシブル回路基板１３５とを、基板連結部１４９によって連結して構成されている。
【００３０】
第２フレキシブル回路基板１３１は略楕円形（略長方形）の外形を有し、中央に作動部材１５１のクリック係合部１６１を挿通する円形の開口部１３３を設け、またその上面の開口部１３３の周囲に所望の摺接パターン１３７を設けて構成されている。摺接パターン１３７は銀などの導電ペーストを印刷するなどして形成されており、図では詳細な記載を省略しているが、この実施形態ではスイッチパターンが形成されている。また第２フレキシブル回路基板１３１の外周近傍部分の前記作動部材１５１の各基板係止部１６５に対向する複数（４か所）の位置には貫通孔からなる挿通部１３９が設けられている。第２フレキシブル回路基板１３１を略楕円形（略長方形）の外形としたのは、第２フレキシブル回路基板１３１を前記囲み部付き作動部材１５０の基板挿通部１７７に通す際に、幅寸法の小さい部分を設けて第２フレキシブル回路基板１３１を通し易くするためである。この実施形態の場合、基板連結部１４９を接続した辺の左右両側の辺間の幅寸法を、もう一方の辺間の幅寸法よりも小さくしている。
【００３１】
第１フレキシブル回路基板１３５はその上面に中央スイッチ１４５を設置し、中央スイッチ１４５の周囲の複数の位置（この実施形態では同一円周上の等間隔（９０°間隔）の４か所の位置）に押圧スイッチ１４７を設置して構成されている。中央スイッチ１４５と押圧スイッチ１４７は何れも同一構造であり、何れについても第１フレキシブル回路基板１３５上に形成した図示しない一対のスイッチ接点上に弾性金属板をドーム形状に形成してなる反転板（可動接点板）１４５ａ，１４７ａを取り付けて構成されており、反転板１４５ａ，１４７ａを押圧してこれを反転することでスイッチがオンする構造になっている。また前記作動部材１５１の各固定部１７３の取付部１７３ｂに対向する位置にはそれぞれ貫通孔からなる被取付部１４８が形成されている。第１フレキシブル回路基板１３５の外周には帯状の信号取り出し用引出部１４４が接続されている。
【００３２】
基板連結部１４９は、第１フレキシブル回路基板１３５の外周と第２フレキシブル回路基板１３１の外周とを連結しており、その中央部分はリング状になっていてその中央に開口部１４９ａを設けている。基板連結部１４９の長さを長く構成したのは、摺接パターン１３７と中央，押圧スイッチ１４５，１４７とをフレキシブル回路基板１３０の同一面に形成しても、基板連結部１４９の部分をその両端近傍部分で２回折り返すことで、上下に位置させる摺接パターン１３７と中央，押圧スイッチ１４５，１４７とを何れも上向きにするためである。開口部１４９ａは、第１フレキシブル回路基板１３５上に基板連結部１４９を重ね合わせた際に、中央スイッチ１４５の反転板１４５ａを露出させるために設けられている。なおもし摺接パターン１３７と中央，押圧スイッチ１４５，１４７とをフレキシブル回路基板１３０の表裏面に設ける場合は、基板連結部１４９は１回折り返すだけでよいので、その長さは短くても良くなる。一方、本実施形態のように摺接パターン１３７と中央，押圧スイッチ１４５，１４７とをフレキシブル回路基板１３０の一方の面のみに形成した場合は、表裏面に設ける場合に比べて印刷工程を減らすことができ、コスト削減につながる。
【００３３】
支持部材２００は硬質板（この実施形態では金属板（例えばステンレス板））によって構成されており、前記囲み部付き作動部材１５０の各固定部１７３の取付部１７３ｂに対向する位置（４か所）にそれぞれ貫通孔からなる被取付部２０１が形成されている（図４では４つの内３つのみ示す）。
【００３４】
次に多機能型電子部品１の組み立て方法を説明する。まず予め、回転つまみ８０の摺動子等取付部８７にクリック板１１０と摺動子１２０とを重ねて載置する。このとき回転つまみ８０の各取付部９１をクリック板１１０の各取付部１１７と摺動子１２０の各取付固定部１２３に挿入し、各取付部９１の先端を熱かしめすることで、クリック板１１０と摺動子１２０を回転つまみ８０に取り付ける。
【００３５】
一方囲み部付き作動部材１５０の基板挿通部１７７に、その下側から第２フレキシブル回路基板１３１を挿入する。図９は基板挿通部１７７に第２フレキシブル回路基板１３１を挿入する際の状態を示す平面図である。基板挿通部１７７には、第２フレキシブル回路基板１３１の最も外形幅の小さい部分を通すのであるが、その際同図に示すように第２フレキシブル回路基板１３１を湾曲し、その両側の外周辺の部分がそれぞれ両基板外周辺挿入凹部１７９に入り込み、同時に第２フレキシブル回路基板１３１の中央部分が囲み部１５３の内周辺中央付近に当接（又は接近）する。このようにこの実施形態では作動部材１５１に基板外周辺挿入凹部１７９を設けたので、第２フレキシブル回路基板１３１の幅寸法が基板挿入部１７７の長さＬ１（図７（ｂ）参照）より長くても、第２フレキシブル回路基板１３１を基板挿入部１７７内に通すことができる。言い換えれば囲み部付き作動部材１５０の外形寸法を小さくでき、多機能型電子部品１の外形の小型化が図れる。  
【００３６】
このようにして囲み部付き作動部材１５０の上面側に第２フレキシブル回路基板１３１を引き出した後、この第２フレキシブル回路基板１３１を作動部材１５１上に載置し、その際作動部材１５１の各基板係止部１６５を第２フレキシブル回路基板１３１の各挿通部１３９に挿入し、その先端を熱かしめすることで作動部材１５１上に第２フレキシブル回路基板１３１を取り付ける。このときフレキシブル回路基板１３０の連結部１４９の第２フレキシブル回路基板１３１側の一端近傍部分は作動部材１５１の基板挿通部１７７に挿通された状態となっている。
【００３７】
次に軸支部材３０を、上記クリック板１１０と摺動子１２０を取り付けた回転つまみ８０の上面側からその表示部収納部８１内に挿入し、その際軸支部材３０の軸部５１を回転つまみ８０の開口部８３及びクリック板１１０の開口部１１５及び摺動子１２０の開口部１２１に挿通する。
【００３８】
次に上記各部品を搭載した回転つまみ８０を、上記作動部材１５１上に取り付けた第２フレキシブル回路基板１３１上に載置し、その際軸支部材３０の軸部５１を作動部材１５１のクリック係合部１６１の内側に挿入し、その下面を軸部当接面１５９上に載置する。このとき軸部５１下面の各取付部５３を作動部材１５１の各被取付部１６３に挿入し、その先端を作動部材１５１の下面において熱かしめする。
【００３９】
次に押釦つまみ１０を軸支部材３０のつまみ収納部３５内に挿入することで押釦つまみ１０の押圧部１３を軸支部材３０の開口５５に挿入し、その際同時に押釦つまみ１０の回り止用突起１７を軸支部材３０の回り止用溝５７に挿入し、押釦つまみ１０の係止部１９を軸支部材３０の係合部５９にスナップイン係合する。
【００４０】
一方第１フレキシブル回路基板１３５の下面に支持部材２００を接着しておく。そしてこの作動部材１５１の下側において、基板連結部１４９と第１フレキシブル回路基板１３５（及び接着した支持部材２００）をＺ字状に折り重ねた上で、作動部材１５１を第１フレキシブル回路基板１３５上に載置し、その際囲み部付き作動部材１５０の各固定部１７３の取付部１７３ｂを第１フレキシブル回路基板１３５の被取付部１４８と支持部材２００の被取付部２０１に挿入し、その先端を支持部材２００の下面で熱かしめする。これによって多機能型電子部品１が完成する。なお上記組立手順はその一例であり、他の各種異なる組立手順を用いて組み立てても良いことはいうまでもない。
【００４１】
以上のように構成された多機能型電子部品１において、回転つまみ８０を回転すると、回転つまみ８０に取り付けた摺動子１２０が回転つまみ８０と一体に回転し、その接点部１２７が摺接パターン１３７上を摺動することで摺接パターン１３７からの検出出力が変化する。同時に回転つまみ８０と一体にクリック板１１０が回転してそのクリック弾接部１１４が作動部材１５１のクリック係合部１６１の凹凸を乗り越えてゆき、クリック感覚が生じる。つまり回転式電子部品の機能を発揮する。
【００４２】
次に押釦つまみ１０の操作部１５を押圧すれば、押釦つまみ１０が下降してその押圧部１３が中央スイッチ１４５の反転板１４５ａを押圧して反転し、中央スイッチ１４５がオンする。押釦つまみ１０への押圧を解除すれば反転板１４５ａの弾性復帰力によって押釦つまみ１０は元の位置にもどり、中央スイッチ１４５はオフする。つまり押圧式電子部品の機能を発揮する。
【００４３】
また回転つまみ８０のつまみ操作部８９の上面部分を下方向に向けて押圧すれば、回転つまみ８０や軸支部材３０や押釦つまみ１０など、作動部材１５１上に設置されている各構成部品全体が作動部材１５１と一体に押圧された方向に傾いて揺動し、下降した側の押圧部１６７が対向する押圧スイッチ１４７の反転板１４７ａを押圧して反転し、押圧スイッチ１４７がオンする。作動部材１５１は、囲み部１５３が撓むことで傾く。回転つまみ８０への押圧を解除すれば、撓んだ囲み部１５３の元の形状への弾性復帰力と、反転している反転板１４７ａの弾性復帰力とによって、回転つまみ８０及び作動部材１５１などの揺動していた全構成部品が一体に元の位置に自動復帰し、押圧スイッチ１４７はオフする。つまり揺動式電子部品の機能を発揮する。
【００４４】
以上説明したように多機能型電子部品１は、揺動自在に設置される作動部材１５１と、前記作動部材１５１の一方の面（下面）側に配置され、前記作動部材１５１の揺動によって押圧される押圧スイッチ１４７を設置してなる第１フレキシブル回路基板１３５と、前記作動部材１５１の他方の面（上面）側に配置され回転つまみ８０及びこの回転つまみ８０の回転によって電気的出力を変化する第２フレキシブル回路基板１３１を有してなる回転式電子部品とを具備し、前記第１フレキシブル回路基板１３５と第２フレキシブル回路基板１３１は基板連結部１４９によって連結されており、一方前記作動部材１５１はその周囲を囲む囲み部１５３に囲み部連結部１７１によって連結され、前記作動部材１５１と囲み部１５３の間に形成された基板挿通部１７７に前記基板連結部１４９の部分を通すことで作動部材１５１の両面側にそれぞれ第１フレキシブル回路基板１３５と第２フレキシブル回路基板１３１を配置して構成されている。
【００４５】
このように作動部材１５１とその周囲を囲む囲み部１５３を囲み部連結部１７１によって連結して一体化したので、１つの部品（囲み部付き作動部材１５０）として作動部材１５１と囲み部１５３を構成でき、部品点数の削減が図れ、多機能型電子部品１の組立工数も減少できる。また作動部材１５１と囲み部１５３の間に形成した基板挿通部１７７に基板連結部１４９を通すので、基板連結部１４９を囲み部１５３の外周側に出っ張らせて通す必要はなく、その分多機能型電子部品１の外形の小型化が図れる。また作動部材１５１を囲み部１５３と連結しているので、回転つまみ８０を動作（回転または揺動）させた際に作動部材１５１にがたつきが生じることもない。
【００４６】
またこの実施形態においては、作動部材１５１に基板外周辺挿入凹部１７９を設けたので、第２フレキシブル回路基板１３１を基板挿通部１７７に通す際の幅寸法が基板挿通部１７７の長さ寸法Ｌ１より長くても、基板挿通部１７７内に第２フレキシブル回路基板１３１をスムーズに通すことができる。言い換えれば基板挿通部１７７の長さ寸法Ｌ１を短くできるので、その分多機能型電子部品１の外形の小型化が図れる。
【００４７】
またこの実施形態のように囲み部１５３自体に可撓性を持たせれば、囲み部連結部１７１の部分に可撓性を持たせるためにその長さを長く形成する必要がなく、作動部材１５１と囲み部１５３間の隙間間隔を狭くでき、囲み部付き作動部材１５０の外形の小型化が図れ、ひいては多機能型電子部品１の外形の小型化が図れる。
【００４８】
図１０，図１１，図１２はそれぞれ本発明の他の実施形態に係る囲み部付き作動部材１５０−２，１５０−３，１５０−４の平面図である。各囲み部付き作動部材１５０−２，１５０−３，１５０−４において、上記実施形態と相違する点は、基板外周辺挿入凹部１７９の形状及び形成位置である。なおこれらの図に示す囲み部付き作動部材１５０−２，１５０−３，１５０−４において、前記図１〜図９に示す実施形態にかかる囲み部付き作動部材１５０と同一又は相当部分には同一符号を付す。なお以下で説明する事項以外の事項については、前記図１〜図９に示す実施形態と同じである。
【００４９】
図１０に示す囲み部付き作動部材１５０−２に設ける基板外周辺挿入凹部１７９−２は、基板挿通部１７７−２の一端部の作動部材１５１−２外周辺に、作動部材１５１−２の中心方向に向かうように（外周辺に対して略垂直方向に向かうように）溝を設けて構成されている。このように基板外周辺挿入凹部１７９−２は基板挿通部１７７−２の一端部側のみに設けても良い（他の実施形態においても同様）。なおこの基板外周辺挿入凹部１７９−２は前記スリット部１７８−２を兼用している。
【００５０】
また図１１に示す囲み部付き作動部材１５０−３に設ける基板外周辺挿入凹部１７９−３は、基板挿通部１７７−３を構成する作動部材１５１−３の外周辺の中央部分の左右両側部分に作動部材１５１−３内に入り込むような略三角形状の凹部を設けることで構成されている。これによって基板挿通部１７７−３の囲み部１５３−３側に沿う長さよりも、一方の基板外周辺挿入凹部１７９−３から囲み部１５３−３中央を通って他方の基板外周辺挿入凹部１７９−３に至る長さの方を長くしている。
【００５１】
また図１２に示す囲み部付き作動部材１５０−４に設ける基板外周辺挿入凹部１７９−４は、基板挿通部１７７−４を構成する作動部材１５１−４の外周辺の中央部分の左右両側部分に斜め左右方向に向けて作動部材１５１−４内に入り込むような略直線状の凹部を設けることで構成されている。これによって基板挿通部１７７−４の囲み部１５３−４側に沿う長さよりも、一方の基板外周辺挿入凹部１７９−４から囲み部１５３−４中央を通って他方の基板外周辺挿入凹部１７９−４に至る長さの方を長くしている。
【００５２】
また図１３に示す囲み部付き作動部材１５０−５のように、基板挿通部１７７−５を構成する囲み部１５３−５に、この基板挿通部１７７−５内に基板連結部１４９−５を挿入する基板挿入用スリット１８１−５を設けても良い。このように構成した場合、図１４に点線の仮想線で示す第２フレキシブル回路基板１３１−５を基板挿通部１７７−５に通す必要がないので、前記各実施形態で設けた基板外周辺挿入凹部は不要になる。一方で図１４に点線で示すように基板連結部１４９−５の折り曲げ部分が囲み部１５３−５の下面側に位置していると、この折り曲げ部分の弾性復帰力によって囲み部１５３−５の下面が上方向に弾発される場合がある。そして基板挿入用スリット１８１−５を設けることで可撓性が増している基板挿入用スリット１８１−５近傍の囲み部１５３−５の部分が上方向に弾発されて上方向に撓んで上昇し、その上に位置する回転つまみの下面外周部分に触れてしまう恐れがある。しかしこの恐れは前記基板挿入用スリット１８１−５近傍の囲み部１５３−５の部分の厚みを厚くする等して撓みにくくすること等で防止できる。
【００５３】
この囲み部付き作動部材１５０−５のように構成すれば、基板挿入用スリット１８１−５に基板連結部１４９−５を通すという簡単な作業によって、容易に基板挿通部１７７−５内に基板連結部１４９−５を挿入することができる。基板挿通部１７７−５内に基板連結部１４９−５を挿入する際、基板挿通部１７７−５内に第２フレキシブル回路基板１３１−５を通す必要がないので、基板挿通部１７７−５の長さや幅を小さくでき、その分多機能型電子部品１の外形の小型化が図れる。
【００５４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、基板外周辺挿入凹部１７９は、基板挿通部１７７の少なくとも一方の端部側（端部でなくても良く、中央と端部の間であればよい）の作動部材１５１に設けられれば良い。基板外周辺挿入凹部１７９の形状も種々の変更が可能であり、また左右に設けた基板外周辺挿入凹部１７９の形状を異ならせても良い。
【００５５】
また上記実施形態では摺動子１２０と摺接パターン１３７とによって検出手段を構成したが、検出手段は回転つまみ８０の回転によってその検出出力が変化する構成であれば他の構成であっても良い。検出手段による検出出力は電気的出力に限られず、磁気的出力や光学的出力などであっても良い。また上記実施形態では軸支部材３０によって回転つまみ１０を回動自在に支持する構成の回転式電子部品を用いたが、回転式電子部品の構造は種々の変更が可能であり、例えば特許文献１に記載されているように、作動部材の上に第２フレキシブル回路基板や摺動子等を囲むケースを設置し、その上に回転つまみを回転自在に配置する構成等であっても良い。
【００５６】
また場合によっては、中央の押釦つまみ１０と押釦つまみ１０によって押圧操作される中央スイッチ１４５、すなわち押圧式電子部品の部分を省略しても良い。また上記実施形態では回転つまみ８０のみによって回転体を構成したが、例えば摺動子１２０を取り付ける回転体と、つまみ操作部８９を有するつまみ部分とを別部品で構成し両者を一体に回転するようにしても良いなど、その構造には種々の変更が可能である。また囲み部１５３は可撓性のない剛体で構成しても良い。その場合でも囲み部連結部１７１に可撓性があれば作動部材１５１は揺動可能となる。
【００５７】
また上記実施形態では、中央スイッチ１４５や押圧スイッチ１４７を１枚の合成樹脂フイルム上に形成した一対の接点パターン上に反転板を取り付けることで構成しているが、これらのスイッチは２枚の合成樹脂フイルム（一方は硬質の合成樹脂板でも良い）を重ね合わせて両合成樹脂フイルムにそれぞれ設けた一対の接点パターンを隙間を介して対向させ、一方の合成樹脂フイルムに設けた接点パターンの裏面側に反転板を設置すること（場合によっては反転板は不要）で構成されるいわゆるメンブレンスイッチで構成しても良い。また場合によっては第１，第２回路基板を硬質の回路基板で構成しても良い。例えば囲み部に基板挿入用スリットを形成する場合は第１回路基板を撓める必要がないので、第１回路基板を硬質の回路基板で構成できる。
【００５８】
また上記実施形態では、軸支部材３０の軸部５１を取り付ける作動部材１５１の軸部当接面１５９の周囲であって、検出手段（摺動子１２０と摺接パターン１３７を有する）を設置した内側の空間に、回転つまみ８０を回転することでクリック感触を生じさせるクリック機構（クリック板１１０のクリック弾接部１１４とクリック係合部１６１を有する）を設置したが、クリック機構は他の各種位置に設置しても良い。またクリック機構は省略しても良い。
【符号の説明】
【００５９】
１  多機能型電子部品
１０  押釦つまみ（押圧式電子部品）
３０  軸支部材
８０  回転つまみ（回転式電子部品、揺動式電子部品）
１１０  クリック板（回転式電子部品）
１２０  摺動子（回転式電子部品）
１３０  フレキシブル回路基板
１３１  第２フレキシブル回路基板（第２回路基板、回転式電子部品）
１３５  第１フレキシブル回路基板（第１回路基板、揺動式電子部品）
１３７  摺接パターン（回転式電子部品）
１４５  中央スイッチ（押圧式電子部品）
１４７  押圧スイッチ（揺動式電子部品）
１４９  基板連結部
１５０  囲み部付き作動部材
１５１  作動部材（揺動式電子部品）
１５３  囲み部
１７１  囲み部連結部
１７７  基板挿通部
１７９  基板外周辺挿入凹部
２００  支持部材
１８１−５  基板挿入用スリット
【図１】
2014022286.tif 000003
【図２】
2014022286.tif 000004
【図３】
2014022286.tif 000005
【図４】
2014022286.tif 000006
【図５】
2014022286.tif 000007
【図６】
2014022286.tif 000008
【図７】
2014022286.tif 000009
【図８】
2014022286.tif 000010
【図９】
2014022286.tif 000011
【図１０】
2014022286.tif 000012
【図１１】
2014022286.tif 000013
【図１２】
2014022286.tif 000014
【図１３】
2014022286.tif 000015
【図１４】
2014022286.tif 000016